(57)【要約】【課題】  ネットワーク上にて端末装置が追加・移設・撤去された場合に、それに伴うインタフェース変更や伝送アドレス設定変更が速やかに行えるビル監視装置を提供することである。【解決手段】  ネットワーク入出力部１６は、監視対象を管理する他装置１３ａ〜１３ｎとネットワーク伝送路１２を介して接続されネットワーク伝送路１２に対する入出力信号を伝送アドレスによって管理し通信を行う。インタフェース管理部１７はネットワーク入出力部１６のインタフェース情報を管理し、伝送アドレス設定部１８は、監視データ管理部１５が監視点の追加、変更、削除を行ったときは入出力処理を停止し、追加、変更、削除された監視点の情報に基づいて対応するネットワーク入出力部１６の伝送アドレスを追加、削除、変更する。【選択図】  図１
2005258684.tif 000002
【特許請求の範囲】
【請求項１】
ビル等の施設内の各種設備を監視対象としてその状態を監視すると共に操作制御するビル監視装置において、前記監視対象を監視点として前記監視点に関するデータを保持すると共に前記監視点の追加、変更、削除を行う監視データ管理部と、前記監視対象を管理する他装置とネットワーク伝送路を介して接続され前記ネットワーク伝送路に対する入出力信号を伝送アドレスによって管理し通信を行うネットワーク入出力部と、前記ネットワーク入出力部のインタフェース情報を管理するインタフェース管理部と、前記監視データ管理部が前記監視点の追加、変更、削除を行ったときは入出力処理を停止し、追加、変更、削除された監視点の情報に基づいて対応する前記ネットワーク入出力部の伝送アドレスを追加、削除、変更する伝送アドレス設定部とを備えたことを特徴とするビル監視装置。
【請求項２】
前記伝送アドレス設定部は、前記ネットワーク入出力部の伝送アドレスの追加、削除、変更の内容を、前記インタフェース管理部及び前記他装置に通知することを特徴とする請求項１記載のビル監視装置。
【請求項３】
前記伝送アドレス設定部は、前記他装置のネットワーク入出力部のインタフェース情報が追加、変更、削除されたときは、その追加、変更、削除の内容を、前記ネットワーク入出力部及び前記インタフェース管理部に反映させることを特徴とする請求項２記載のビル監視装置。
【発明の詳細な説明】
【技術分野】
【０００１】
本発明は、ビル等の施設内の各種設備を監視対象としてその状態を監視すると共に操作制御するビル監視装置に関する。
【背景技術】
【０００２】
ビル監視装置は、ビル施設内の電気設備、空調設備、衛生設備などの各種設備の運転状況の監視や各設備の操作・制御を行うものである。ビルなどの大規模施設においては、施設内に散在する電気設備、空調設備、衛生設備など各種設備の動作状態を監視室などに設置されたビル監視装置にて集中監視・操作し、ビル設備管理の効率化に効果を上げている。
【０００３】
ビル施設に設置される設備は、電気設備、空調設備、衛生設備、防犯設備など多種にわたることから、ビル監視装置はこれら複数の設備メーカーの機器と接続できなければならない。そこで、ネットワーク伝送路にはオープン化されたネットワーク通信プロトコルが提案され、例えば、LONWORKS（登録商標）やBACnetTM（登録商標）などが実用化されている。また、ビル施設では入居テナントの入替え等の理由によって、各種設備の追加、移設、取外しを行うことも多い。これに対して、例えば、オープン化プロトコルであるLONWORKS（登録商標）では、既存のLON（登録商標）伝送路上に端末器を物理的に追加・撤去することが比較的容易に行えるようになっている。
【０００４】
一方、監視システムの初期化処理時に全ポイントのデータを収集し、そのデータから管理テーブルを自動作成し、入出力ポイントの数、種類、組み合わせ等がシステム稼働後に変更になった場合にも、それほど労力をかける必要のないようにしたものがある（例えば特許文献１参照）。
【０００５】
また、端末機の増設及び移設に対応して端末機は隣接端末機にそれぞれアドレスを問い合わせて返答されてきた隣接端末機のアドレスに基づいて、端末機の接続状況に応じてアドレス設定が自動的にできるようにしたものがある（例えば特許文献２参照）。
【特許文献１】特開平２−３００６８号公報（第３図）
【特許文献２】特開平８−２２３１７８号公報（図３、図５）
【発明の開示】
【発明が解決しようとする課題】
【０００６】
しかしながら、従来のビル監視装置においては、現場機器が追加・移設・撤去される度にネットワークに対する入出力インタフェース(ネットワーク変数構成)を変更するとともに、これに応じて入出力アドレスの設定(バインド)も変更しなければならない。この変更作業が現場機器入替え時の手間を増大させるとともに、作業時のシステム停止時間を短縮しようとする際のネックのひとつになっている。
【０００７】
本発明の目的は、ネットワーク上にて端末装置が追加・移設・撤去された場合に、それに伴うインタフェース変更や伝送アドレス設定変更が速やかに行えるビル監視装置を提供することである。
【課題を解決するための手段】
【０００８】
請求項１の発明に係わるビル監視装置は、ビル等の施設内の各種設備を監視対象としてその状態を監視すると共に操作制御するビル監視装置において、前記監視対象を監視点として前記監視点に関するデータを保持すると共に前記監視点の追加、変更、削除を行う監視データ管理部と、前記監視対象を管理する他装置とネットワーク伝送路を介して接続され前記ネットワーク伝送路に対する入出力信号を伝送アドレスによって管理し通信を行うネットワーク入出力部と、前記ネットワーク入出力部のインタフェース情報を管理するインタフェース管理部と、前記監視データ管理部が前記監視点の追加、変更、削除を行ったときは入出力処理を停止し、追加、変更、削除された監視点の情報に基づいて対応する前記ネットワーク入出力部の伝送アドレスを追加、削除、変更する伝送アドレス設定部とを備えたことを特徴とする。
【０００９】
請求項２の発明に係わるビル監視装置は、請求項１の発明において、前記伝送アドレス設定部は、前記ネットワーク入出力部の伝送アドレスの追加、削除、変更の内容を、前記インタフェース管理部及び前記他装置に通知することを特徴とする。
【００１０】
請求項３の発明に係わるビル監視装置は、請求項２の発明において、前記伝送アドレス設定部は、前記他装置のネットワーク入出力部のインタフェース情報が追加、変更、削除されたときは、その追加、変更、削除の内容を、前記ネットワーク入出力部及び前記インタフェース管理部に反映させることを特徴とする。
【発明の効果】
【００１１】
本発明によれば、自らの伝送インタフェースが変化した際には、インタフェース変更に伴う伝送アドレスの変更を行うときだけ伝送機能を停止させれば良く、監視機能が停止する時間を短縮することができる。また、インタフェースの変更作業をオペレータの手作業によって行う場合と比べて、変更ミスの発生を低減させることができる。
【００１２】
また、自らのインタフェースが変化した場合に、その変化の内容を捉え、他装置との既存の伝送アドレス設定を新たなインタフェースに適合するように動的に変更することができるため、自装置と他装置とのインタフェースが整合しない時間、つまり伝送機能が停止する時間を短縮することができる。また、伝送アドレスの変更作業をオペレータの手作業によって行う場合と比べて、変更ミスの発生を低減させることができる。
【００１３】
また、他装置のインタフェースが変化した場合に、その変化の内容を捉え、他装置側での既存の伝送アドレス設定を新たなインタフェースに適合するように動的に変更することができるため、自装置と他装置とのインタフェースが整合しない時間、つまり伝送機能が停止する時間を短縮することができる。また、伝送アドレスの変更作業をオペレータの手作業によって行う場合と比べて、変更ミスの発生を低減させることができる。
【発明を実施するための最良の形態】
【００１４】
図１は本発明の第１の実施の形態に係わるビル監視装置のブロック構成図である。ビル監視装置１１は、例えばLONWORKS（登録商標）伝送路等のネットワーク伝送路１２にて他装置１３ａ〜１３ｎに接続されている。他装置１３ａ〜１３ｎには各種設備が監視対象１４として接続されている。監視データ管理部１５は、監視対象１４を監視点として、その監視点に関するデータを保持すると共に監視点の追加、変更、削除を行うものである。すなわち、監視データ管理部１５は、ビル監視装置１１が監視する対象を監視点ＩＤによって管理し、監視対象の追加登録・変更・削除はヒューマンインタフェースを介して、ビル監視装置１１の機能を停止させずに行う。図１では監視点ＩＤ００９を追加した場合を示している。
【００１５】
ネットワーク入出力部１６は、監視対象１４を管理する他装置１３ａ〜１３ｎとネットワーク伝送路１２を介して接続され、ネットワーク伝送路１２に対する入出力信号を伝送アドレスによって管理し通信を行う。例えばLONWORKS（登録商標）伝送路に対する入出力信号を伝送アドレスによって管理する。図中の△は他装置１３ａ〜１３ｎから自装置への入力インタフェースを表し、▽は自装置から他装置１３ａ〜１３ｎへの出力インタフェースを表している。そして、伝送アドレス１２番に他装置１３ａ〜１３ｎから自装置への入力インタフェースが追加された場合を示している。
【００１６】
インタフェース管理部１７は、ネットワーク入出力部１６のインタフェース情報を管理するものであり、監視データ管理部１５が必要とする入出力データとネットワーク入出力部１６が用意している伝送インタフェースとの関連付け、およびネットワーク入出力部１６が用意している伝送インタフェースと他装置１３ａ〜１３ｎの伝送インタフェースの関連付けを保持する。すなわち、インタフェース管理部１７は、監視データ管理部１５が管理する監視点とネットワーク入出力部１６が管理する伝送アドレスの関連付けと、ネットワーク入出力部１６が管理する伝送アドレスと他装置の伝送アドレスの関連付けを行い、監視データ管理部監視データ管理部１５と他装置(監視対象)の間のデータの送受信を管理する。
【００１７】
そして、伝送アドレス設定部１８は、監視データ管理部１５が監視点の追加、変更、削除を行ったときは入出力処理を停止し、追加、変更、削除された監視点の情報に基づいて対応するネットワーク入出力部１６の伝送アドレスを追加、削除、変更するものである。
【００１８】
図２は、第１の実施の形態でのビル監視装置１１の入出力インタフェースの動的変化動作の概要を示すフローチャートである。監視データ管理部１５は、ビル監視装置１１の機能を停止させることなく、監視点の追加・変更・削除を行う（Ｓ１）。この監視点データには、監視対象１４を管理する監視装置(他装置１３ａ〜１３ｎ)のアドレスも含んでいる。監視点の追加・削除を行うことによってネットワーク入出力部１６の入出力アドレスが移動し、他装置１３ａ〜１３ｎと正常に伝送が行えなくなるため、監視データ管理部１５により監視点の追加・変更・削除が開始されると、伝送アドレス設定部１８はネットワーク入出力部１６の入出力機能を停止させる（Ｓ２）。すなわち、ネットワーク入出力部１６は、入出力インタフェースの変更が完了するまでの間、ネットワーク伝送路１２との入出力を停止させる。
【００１９】
続いて監視点の追加かどうかを判断し（Ｓ３）、監視点の追加であるときは対応する入出力インタフェース（アドレス）を追加する（Ｓ４）。図１は監視データ管理部１５での監視点の追加に対してネットワーク入出力部１６が追加された状態を示している。監視点の追加でないときは監視点の削除かどうかを判定し（Ｓ５）、監視点の削除であるときは対応する入出力インターフェース（アドレス）を削除する（Ｓ６）。さらに、監視点の削除でないときは対応する入出力インターフェス（アドレス）を変更する（Ｓ７）。このように伝送アドレス設定部１８は、監視データ管理部１５において追加(もしくは変更・削除)された監視点の情報(監視対象となる装置)をもとに、対応する入力アドレス(または出力アドレス)を追加、削除または変更する。
【００２０】
この後に、別途作業にて、ネットワーク出力部１６のアドレスの追加・変更・削除に対応して、インタフェース管理部１７および他装置１３ａ〜１３ｎの伝送アドレス設定を変更し、ネットワーク入出力部１６での入出力機能を再開させる。これにより、監視点の追加・変更・削除作業が完了する。
【００２１】
第１の実施の形態によれば、自らのネットワーク出力部１６のインタフェースを変更するためにビル監視装置を停止させる必要がないため、自らの伝送インタフェースが変化した際には、インタフェース変更に伴う伝送アドレス変更を行う時だけ伝送機能を停止させれば良く、監視機能が停止する時間を短縮することができる。また、インタフェースの変更作業を、オペレータの手作業によって行う場合と比べて、変更ミスの発生を低減させることができる。
【００２２】
図３は本発明の第２の実施の形態に係わるビル監視装置のブロック構成図である。この第２の実施の形態は、図１に示した第１の実施の形態に対し、伝送アドレス設定部１８は、ネットワーク入出力部１６の伝送アドレスの追加、削除、変更の内容を、インタフェース管理部１７及び他装置１３ａ〜１３ｎに通知するようにしたものである。図１と同一要素には同一符号を付し重複する説明は省略する。
【００２３】
監視データ管理部１５は、ビル監視装置１１が監視する対象を監視点ＩＤによって管理し、監視対象の追加登録・変更・削除はヒューマンインタフェースを介して、ビル監視装置１１の機能を停止させずに行う。図３では監視点ＩＤ００９を追加した場合を示している。
【００２４】
ネットワーク入出力部１６は、監視対象１４を管理する他装置１３ａ〜１３ｎとネットワーク伝送路１２を介して接続され、ネットワーク伝送路１２に対する入出力信号を伝送アドレスによって管理し通信を行う。例えばLONWORKS（登録商標）伝送路に対する入出力信号を伝送アドレスによって管理する。図中の△は他装置１３ａ〜１３ｎから自装置への入力インタフェースを表し、▽は自装置から他装置１３ａ〜１３ｎへの出力インタフェースを表している。そして、伝送アドレス７番に他装置１３ａ〜１３ｎから他装置への入力インタフェースが追加され、入力インタフェースが追加されたことに伴い入力インタフェース（アドレス）８番以降がそれぞれ１番ずつ後にずれた場合を示している。
【００２５】
インタフェース管理部１７は、監視データ管理部１５が管理する監視点とネットワーク入出力部１６が管理する伝送アドレスの関連付けと、ネットワーク入出力部１６が管理する伝送アドレスと他装置の伝送アドレスの関連付けを行い、監視データ管理部監視データ管理部１５と他装置(監視対象)の間のデータの送受信を管理する。図３では伝送アドレス７番に追加され、伝送アドレス８番以降が変更になった場合を示している。
【００２６】
そして、伝送アドレス設定部１８は、監視データ管理部１５が監視点の追加、変更、削除を行ったときは入出力処理を停止し、追加、変更、削除された監視点の情報に基づいて対応するネットワーク入出力部１６の伝送アドレスを追加、削除、変更すると共に、
ネットワーク入出力部１６の伝送アドレスの追加、削除、変更の内容を、インタフェース管理部１７や他装置１３ａ〜１３ｎに通知する。つまり、自らの入出力インタフェースの変化に対応して、他装置１３ａ〜１３ｎとの入出力アドレス設定を動的に変化させる。
【００２７】
図４は、第２の実施の形態でのビル監視装置１１の入出力インタフェースの動的変化動作の概要を示すフローチャートである。監視データ管理部１５は、ビル監視装置１１の機能を停止させることなく、監視点の追加・変更・削除を行う（Ｓ１）。この監視点データには、監視対象を管理する監視装置(他装置１３ａ〜１３ｎ)のアドレスも含んでいる。監視点の追加・削除を行うことによってネットワーク入出力部１６の入出力アドレスが移動し、他装置１３ａ〜１３ｎと正常に伝送が行えなくなるため、監視データ管理部１５による入出力インタフェースの変更が完了するまでの間、ネットワーク入出力部１６とネットワーク伝送路１２との入出力を停止させる（Ｓ２）。
【００２８】
続いて監視点の追加かどうかを判断し（Ｓ３）、監視点の追加であるときは対応する入出力インタフェース（アドレス）を追加する（Ｓ４）。図１は監視データ管理部１５での監視点の追加に対してネットワーク入出力部１６が追加された状態を示している。監視点の追加でないときは監視点の削除かどうかを判定し（Ｓ５）、監視点の削除であるときは対応する入出力インターフェース（アドレス）を削除する（Ｓ６）。さらに、監視点の削除でないときは対応する入出力インターフェス（アドレス）を変更する（Ｓ７）。
【００２９】
伝送アドレス設定部１８は、ステップＳ４、Ｓ５、Ｓ６でのアドレスの追加・変更・削除によって、ネットワーク入出力部１６における入出力インタフェースの配列が変化する場合には、そのアドレス割付けの変化の内容に対応して、インタフェース管理部１７のインタフェース管理テーブル上の伝送アドレスの設定値を変化させる（Ｓ８）。また、監視対象を管理する他装置１３ａ〜１３ｎに対しても、伝送アドレスの変更を通知する（Ｓ９）。ステップＳ８およびステップＳ９により、データの送信側と受信側とでアドレス設定が再び一致するため、ここでネットワーク入出力部１６での入出力機能を再開させる（Ｓ１０）。これにより、監視点の追加・変更・削除作業が完了する。
【００３０】
第２の実施の形態によれば、自らの入出力インタフェースが変化した場合に、その変化の内容を捉え、他装置１３ａ〜１３ｎとの既存の伝送アドレス設定を、新たな入出力インタフェースに適合するように動的に変更することができるため、自装置と他装置との入出力インタフェースが整合しない時間、つまり伝送機能が停止する時間を短縮することができる。また、伝送アドレスの変更作業をオペレータの手作業によって行う場合と比べて、変更ミスの発生を低減させることができる。
【００３１】
図５は本発明の第３の実施の形態に係わるビル管理装置のブロック構成図である。この第３の実施の形態は、図３に示した第２の実施の形態に対し、伝送アドレス設定部１８は、他装置１３ａ〜１３ｎのネットワーク入出力部のインタフェース情報が追加、変更、削除されたときは、その追加、変更、削除の内容を、ネットワーク入出力部１６及びインタフェース管理部１７に反映させるようにしたものである。図３と同一要素には同一符号を付し重複する説明は省略する。
【００３２】
伝送アドレス設定部１８は、監視対象を管理する他装置１３ａ〜１３ｎのネットワークインタフェース定義ファイルを保持しており、他装置のインタフェース定義ファイル（変更前）と他装置のインタフェース定義ファイル（変更後）とを比較し、その差異を反映してインタフェース管理部１７の伝送アドレス設定テーブルを更新する。
【００３３】
図６は、第３の実施の形態でのビル監視装置１１の入出力インタフェースの動的変化動作の概要を示すフローチャートである。監視対象を管理する他装置１３ａ〜１３ｎの入出力インタフェースが変更されたかどうかを判定し（Ｓ１）、他装置１３ａ〜１３ｎの入出力インタフェースが変更された場合には、ネットワーク入出力部１６におけるネットワーク伝送路１２との入出力を停止させる（Ｓ２）。これは、オペレータの操作によって他装置１３ａ〜１３ｎの入出力インタフェースが変更されると、ビル監視装置１１のネットワーク入出力部１６の入出力アドレス設定と整合しなくなり、他装置１３ａ〜１３ｎと正常に伝送が行えなくなるため、これを避けるためである。
【００３４】
次に、伝送アドレス設定部１８は、ネットワーク伝送路１２を介して、他装置から入出力インタフェース定義ファイルを収集する（Ｓ３）。続いて既に保持している他装置の入出力インタフェース定義ファイル(変更前)と、収集した他装置の入出力インタフェース定義ファイル(変更後)とを比較し、伝送アドレスの移動量を抽出したものを伝送アドレス変更テーブルとして生成する（Ｓ４）。さらにこの伝送アドレス変更テーブルに従って自らのインタフェース管理部１７の伝送アドレス設定テーブルを変更する（Ｓ５）。ステップＳ５までの作業により、データの送信側と受信側とでアドレス設定が再び一致するため、ここでネットワーク入出力部１６での入出力機能を再開させる（Ｓ６）。これにより、監視点の追加・変更・削除作業が完了する。
【００３５】
このようにして、第３の実施の形態では、他装置側の入出力インタフェースが変化した場合でも、ビル監視装置１１側の入出力インタフェースを動的に追随させることができるため、ネットワーク入出力部１６での入出力機能を停止させる時間を短縮することができる。
【００３６】
第３の実施の形態によれば、他装置の入出力インタフェースが変化した場合に、その変化の内容を捉え、他装置側での既存の伝送アドレス設定を新たなインタフェースに適合するように動的に変更することができるため、自装置と他装置との入出力インタフェースが整合しない時間、つまり伝送機能が停止する時間を短縮することができる。また、伝送アドレスの変更作業をオペレータの手作業によって行う場合と比べて、変更ミスの発生を低減させることができる。
【図面の簡単な説明】
【００３７】
【図１】本発明の第１の実施の形態に係わるビル監視装置のブロック構成図。
【図２】本発明の第１の実施の形態でのビル監視装置の入出力インタフェースの動的変化動作の概要を示すフローチャート。
【図３】本発明の第２の実施の形態に係わるビル監視装置のブロック構成図。
【図４】本発明の第２の実施の形態でのビル監視装置の入出力インタフェースの動的変化動作の概要を示すフローチャート。
【図５】本発明の第３の実施の形態に係わるビル管理装置のブロック構成図。
【図６】本発明の第３の実施の形態でのビル監視装置の入出力インタフェースの動的変化動作の概要を示すフローチャート。
【符号の説明】
【００３８】
１１…ビル管理装置、１２…ネットワーク伝送路、１３…他装置、１４…監視対象、１５…監視データ管理部、１６…ネットワーク入出力部、１７…インタフェース管理部、１８…伝送アドレス設定部
【図１】
2005258684.tif 000003
【図２】
2005258684.tif 000004
【図３】
2005258684.tif 000005
【図４】
2005258684.tif 000006
【図５】
2005258684.tif 000007
【図６】
2005258684.tif 000008